(57)【要約】  スキャンした後書類を分類するように、書類をスキャンし、経路内で移動させる方法を開示する。本方法は、入力トレイに複数の書類を入れるステップと、スキャンされた画像データを取得するように、各書類を経路内で入力トレイからスキャン部を通して搬送速度で搬送するステップとを含む。本方法は、書類に対しニップ部を形成するように、２つの回転可能排出ローラ又は２つの可動ベルト、もしくは１つの可動ベルトと１つの回転可能排出ローラとを含む、少なくとも２つの可動部材を経路内に設けるステップと、選択可能な排出速度をもたらすように可動部材を選択的に駆動するステップであって、書類は選択した排出速度に応じて分類されるステップとを更に含む。
2014518826.tif 000002
【特許請求の範囲】
【請求項１】
スキャンした後書類を分類するように、前記書類をスキャンし、経路内で移動させる方法であって、
入力トレイに複数の前記書類を入れるステップと、
スキャンされた画像データを取得するように各前記書類を前記経路内で前記入力トレイからスキャン部を通して搬送速度で搬送するステップと、
前記書類に対しニップ部を形成するように、２つの回転可能排出ローラ又は２つの可動ベルト、もしくは１つの可動ベルトと１つの回転可能排出ローラとを含む、少なくとも２つの可動部材を前記経路内に設けるステップと、
選択可能な排出速度をもたらすように前記可動部材を選択的に駆動するステップであって、前記書類は選択した前記排出速度に応じて分類されるステップと、
を含むことを特徴とする方法。
【請求項２】
請求項１に記載の方法であって、各選択可能な前記搬送速度は一定の速度であることを特徴とする方法。
【請求項３】
請求項１に記載の方法であって、前記可動部材によって駆動される前記書類を受ける排出トレイを設けるステップを更に含むことを特徴とする方法。
【請求項４】
請求項１に記載の方法であって、前記スキャンするステップは、リニアイメージセンサ又はエリアアレイイメージセンサを設けるステップを更に含むことを特徴とする方法。
【請求項５】
請求項１に記載の方法であって、少なくとも２つの排出トレイを設けるステップと、選択された前記排出速度に応じて前記書類を前記２つの可動部材から異なる前記排出トレイへ排出するステップと、を更に含むことを特徴とする方法。
【請求項６】
スキャンした後書類を種類別に分類するように、種類の異なる前記書類をスキャンし、前記書類を経路内で移動させる方法であって、
入力トレイに複数の前記書類を入れるステップと、
スキャンされた画像データを取得するように各前記書類を前記経路内で前記入力トレイからスキャン部を通して搬送速度で搬送するステップと、
各前記書類の種類を判断するステップと、
前記書類に対しニップ部を形成するように、２つの回転可能排出ローラ又は２つの可動ベルト、もしくは１つの可動ベルトと１つの回転可能排出ローラとを含む、少なくとも２つの可動部材を前記経路内に設けるステップと、
選択可能な排出速度をもたらすように前記可動部材を選択的に駆動するステップであって、前記書類は選択した前記排出速度に応じて分類されるステップと、
を含むことを特徴とする方法。
【請求項７】
請求項６に記載の方法であって、各選択可能な前記搬送速度は一定の速度であることを特徴とする装置。
【請求項８】
請求項６に記載の方法であって、前記２つの可動部材によって駆動される前記書類を受ける１つの排出トレイを設けるステップを更に含み、前記書類は前記書類の種類によって前記排出トレイ内で分類されることを特徴とする方法。
【請求項９】
請求項６に記載の方法であって、少なくとも２つの排出トレイを設けるステップと、選択された前記排出速度に応じて前記書類を前記２つの可動部材から異なる排出トレイへ排出するステップと、を更に含むことを特徴とする方法。
【請求項１０】
請求項６に記載の方法であって、前記スキャンするステップは、リニアイメージセンサ又はエリアアレイイメージセンサを設けるステップを更に含むことを特徴とする方法。
【請求項１１】
請求項６に記載の方法であって、前記書類の種類は、前記２つの可動部材の選択された前記排出速度を制御するプロセッサへ供給されることを特徴とする方法。
【請求項１２】
請求項６に記載の方法であって、前記書類の種類は長さであって、前記経路に沿った前記書類の長さを判断するように少なくとも１つの書類端検出センサを前記経路内に設けるステップを更に含むことを特徴とする方法。
【請求項１３】
請求項６に記載の方法であって、前記書類の種類は、幅、厚さ、形、状態、色、向き、重さ、内容、枚数、前記書類内の層数、搬送される際の前記書類の音、を含むことを特徴とする方法。
【発明の詳細な説明】
【技術分野】
【０００１】
本発明は、排出速度を制御することによってスキャンされた書類を分類することに関する。
【背景技術】
【０００２】
スキャナ装置を通った書類を自動的に分類し、書類をスキャンした後の手作業による取り扱いを省き、手作業による分類によって生じうる分類ミスを無くすことが必要である。必要とされる分類の適用例の１つは、支払い用小切手をスキャン対象である添付された用紙や手紙から分類することである。一般的に、幅、厚さ、形、状態、色、重さ、書類の枚
数、内容等に基づき書類を分類する必要がある。
【０００３】
書類を自動的に分類するには、多くの場合、米国特許第７，７７７，９１９号明細書に開示されるように、ソレノイドによって作動する切り替えゲートや他の駆動機構等の装置が必要である。実際の運用では、切り替えゲートは作動させると騒音がひどい場合が多く、これはオフィス環境内で深刻な問題である。切り替えゲート装置は、書類の搬送経路内に追加の空間を必要とし、それにより書類の送り装置及び分類装置の全体的なサイズを増大させる。更に切り替えゲート装置は、書類の送り装置及び分類装置をより複雑化し、非常に高速での作動が必要とされる場合が多く、追加の保守が必要となる。分類される書類は、異なる分類容器や排出トレイの位置へ搬送される工程中に折り曲げられることも多く、切り替えゲートは分類装置内で書類が紙詰まりする箇所となり得る。
【０００４】
吸引カップ装置を使用して書類を持ち上げたり置いたりする装置や圧縮空気装置を使用して書類を他の分類容器の位置に飛ばす装置等、他の書類を分類する装置は、真空又は圧縮空気の供給を必要とし、設置スペース、複雑さ、操作費用を増加させる。
【０００５】
同一出願人による米国特許第７，８２８，２７９号明細書は、入力トレイからの書類をスキャンし、排出トレイへ搬送する方法を開示する。排出ニップ搬送部の速度は後端の検出タイミングに基づき選択できる。米国特許第７，８２８，２７９号明細書に教示されているように、排出ニップ部の速度を制御することは、異なるサイズや重さの書類が積み重なる順番を維持する方法となる。
【先行技術文献】
【特許文献】
【０００６】
【特許文献１】米国特許第７，７７７，９１９号明細書
【特許文献１】米国特許第７，８２８，２７９号明細書
【発明の開示】
【課題を解決するための手段】
【０００７】
ゲート、切り替え器、持ち上げ配置装置等、書類搬送路内の追加の作動装置を使用せずにスキャンされた書類を効果的に分類するスキャナ装置が必要である。これらの追加の装置は、書類スキャナ装置の設置スペース、複雑さ、雑音、費用を増加させる。更に、書類の後処理に便利なように先端又は後端を揃えて書類を分類した積み重ねをもたらすスキャナ装置が必要である。
【０００８】
本発明に従うと、スキャンした後書類を分類するように、書類をスキャンし、経路内で書類を移動させる方法であって、
入力トレイに複数の書類を入れるステップと、
スキャンされた画像データを取得するように、各書類を経路内で入力トレイからスキャン部を通して搬送速度で搬送するステップと、
書類に対しニップ部を形成するように、２つの回転可能排出ローラ又は２つの可動ベルト、もしくは１つの可動ベルトと１つの回転可能排出ローラとを含む、少なくとも２つの可動部材を経路内に設けるステップと、
選択可能な排出速度をもたらすように可動部材を選択的に駆動するステップであって、書類は選択した排出速度に応じて分類されるステップと、
を含むことを特徴とする方法が提供される。
【０００９】
本発明の利点は、可動部材によって駆動されるスキャンされた書類の速度を制御することによって、書類を１つの排出トレイ内の異なる位置へ効果的に分類するか、書類を複数の排出トレイへ分類することもできる。
【００１０】
本発明は、更に書類のサイズや重さを含む非常に広い範囲の書類の種類に対し書類の順序を効果的に維持する。
【００１１】
本発明は、書類の先端又は後端を揃えて位置合わせされ分類された書類の積み重ねをもたらすことができ、これによってその後の手作業による取り扱いや積まれた書類の保存に便利である。
【００１２】
更に本発明は、可動部材の排出速度をスキャン搬送速度とは独立させて選択して設定できるので、広い範囲のスキャン搬送速度に渡って動作可能である。
【００１３】
本発明の他の特徴事項は、書類を分類するための他の追加作動装置（ゲートや切り替え器等）を書類の経路内に必要としないことである。ゲートや切り替え器の必要性を無くしたことによって、スキャナ装置のサイズ、複雑さ、保守、コストを低減する。
【００１４】
最後に、本発明は書類搬送経路内に追加の作動装置が無く、書類の分類を低騒音の方法で提供する。
【図面の簡単な説明】
【００１５】
【図１】本発明の実施形態に係るスキャナ装置の概略図であって、制御電子機器回路のブロック図を含む図である。
【図２Ａ】図１に示すスキャナ装置の一部を示す図であって、２つの排出トレイと排出ニップ搬送部とを示す図である。
【図２Ｂ】図２Ａに示すスキャナ装置の一部であって、排出ローラ及びひだ形成ローラを示す図である。
【図２Ｃ】図２Ａに示すスキャナ装置の一部であって、排出ニップ搬送部から排出される書類を示す図である。
【図３Ａ】２つの回転可能排出ローラによって設けられる２つの可動部材の概略図である。
【図３Ｂ】１つの回転可能排出ローラと１つの可動ベルトとによって設けられる２つの可動部材を示す概略図である。
【図３Ｃ】１つの可動ベルトと１つの回転可能排出ローラとによって設けられる２つの可動部材を示す別の概略図である。
【図３Ｄ】２つの可動ベルトによって設けられる２つの可動部材を示す概略図である。
【図４】図２Ａに示すスキャナ装置の部分的な側面図であって、分類するための２つの書類の相対速度の大きさを示す図である。
【図５】本発明の１つの実施形態において分類される２つの書類の排出ニップ部での速度を示すタイミング図である。
【図６Ａ】本発明の１つの実施形態に基づき構成された複数の排出トレイの概略図である。
【図６Ｂ】本発明の別の実施形態に基づき構成された２つの排出トレイの概略図である。
【図６Ｃ】本発明の更に別の実施形態に基づき構成された１つの排出トレイの概略図である。
【図６Ｄ】本発明の更に別の実施形態に基づき構成された１つの排出トレイの概略図である。
【発明を実施するための最良の形態】
【００１６】
本発明のある実施形態では、端検出、搬送タイミング、搬出ニップ部の速度調整、排出トレイのデザインの組み合わせを利用して、スキャナ装置の入力トレイに入れられ、１つ又は複数の排出トレイに搬送される書類の順番を保持する。図１を参照すると、本発明に従って書類を取り扱うスキャナ装置１０とその搬送部２０の概略図が示されている。スキャン処理の開始時、複数の書類が入力トレイ１４へ入れられる。書類束１２は、例えば望ましい順番に並べられスキャンして分類することが必要なサイズや内容が様々である異なる種類の書類を含んでもよい。
【００１７】
搬送部２０は、従来の書類送り機構１５を有し、書類送り機構１５は、書類束１２の最初の書類の先端を書類搬送機構３８へ供給できる。書類は入力トレイ１４内の書類束１２の上から順に１枚ずつ送られ、搬送部２０の書類経路内で搬送される各書類間には制御された間隔が設けられる。１枚の書類は、書類搬送機構３８を通して送られ、スキャン部３２及び書類端センサ３０を通る。スキャン部３２は、リニアイメージセンサ又はエリアアレイイメージセンサ（図示せず）を含む。書類がスキャン部３２を通して送られると、スキャンされた画像データが取り込まれ、制御論理プロセッサ２４、そしてメモリ５６へ転送される。各書類のスキャンされた画像は、定義された画像分類基準と照合するために使用できる。更に、書類がセンサ３０を通して送られる際、書類の先端と後端が検出される。制御論理プロセッサ２４は、センサ３０が先端及び後端を検出したタイミングを使用して各書類の長さを推定し、推定された長さを使用して定義された書類の長さ分類基準と照合する。次に書類は排出ニップ搬送部２２に送られ、そこで更に送られ、そして排出ニップ搬送部２２から排出トレイ（第１排出トレイ１６又は第２排出トレイ１７）へ排出される。書類の送り工程とスキャン工程は書類束１２内の残りの書類に対して続けられ、すべての書類が排出ニップ搬送部２２から排出され、完了した書類が選択された出力トレイ（第１排出トレイ１６又は第２排出トレイ１７）に搬送されるまで続けられる。スキャナ装置の用紙経路は全体としてＣ形となっているため、排出トレイ内のスキャンされた書類束１２を手作業で裏返すと、入力トレイ１４内での書類束１２の元の順番が維持される。
【００１８】
複数の対のローラ１８は、搬送部２０内で使用され、書類をスキャン部３２とセンサ３０を通して搬送する。第１モータ２６は搬送部２０の書類搬送機構３８を一定の搬送速度で駆動する。第２モータ２８は排出ニップ搬送部２２を駆動し、選択可能な排出速度を可能にする。制御論理プロセッサ２４は、モータ制御部５４と通信し、センサ３０の信号を処理して第１モータ２６と第２モータ２８のタイミングと速度を制御する。更に、制御論理プロセッサ２４はスキャン部３２からのスキャンされた画像データを処理し、結果的に得られた画像データファイルはメモリ５６へ分類される。制御論理プロセッサ２４は、入力装置５０（キーパッド、タッチ画面、ＰＣのキーボード等）を介してユーザから書類の分類基準を受け取る。分類基準の１つの具体的な例は、長さによって書類を２つの別の排出トレイへ分類することである。例えば、長さが８．４インチ（約２１ｃｍ）未満の書類を第１排出トレイ１６へ、それ以上の書類を第２排出トレイ１７へ搬送することによって長さが異なる書類を分類する。
【００１９】
図２Ａ、２Ｂ、２Ｃを参照すると、排出ニップ搬送部２２及び排出トレイ１６、１７が示されている。第２モータ２８は、ベルトプーリ機構２９を介して可動部材１９Ａ、１９Ｂを駆動する。可動部材１９Ａ、１９Ｂはこの形態では２つの回転可能排出ローラである。排出ローラ（可動部材１９Ａ、１９Ｂ）に加えて、ひだ形成ローラ６４が排出ローラ軸の片方に設けられる。ひだ形成ローラ６４は、排出ローラ（可動部材１９Ａ、１９Ｂ）よりも直径が大きく、排出書類６０にわずかにひだを形成させ、書類６０が排出ニップ搬送部２２から離される前に、より硬い片側が支持された書類を生じさせる。排出書類６０にひだを形成することによって、書類６０が排出ニップ搬送部２２から送出される際に薄い書類をより正確に位置制御可能となる。更に排出書類６０にひだを形成することによって、より制御された方法で書類を遠く（例えば１２インチ（約３０センチ））に送出できるようにするが、これは長い書類に好適である。更に、排出書類６０にひだを形成することによって、排出速度（例えば、４〜５４インチ（１０〜１３７センチ）／秒）のより広い範囲で書類を送出する際により正確な位置制御を可能にする。例えば、排出ニップ搬送部２２から第２排出トレイ１７へ送出される排出書類６０は、送出された書類のより正確な位置制御を実現するため第１排出トレイ１６内の書類束１２と接触しないことが望ましい。排出書類６０にひだを形成することによってこの要件を容易にする。
【００２０】
排出書類６０にひだを形成することに加えて、送出された書類６０の動きを制限するようにバックストッパ６２を設けることは有益である。バックストッパ６２には発泡体やゴムなどの吸音材を含ませ、書類６０の先端４６がバックストッパ６２と接触した際に出る騒音を軽減することもできる。排出トレイ１６、１７内における書類束１２の後端面を揃えるため、背壁３４と先端背壁３６が設けられる。
【００２１】
図３Ａ、３Ｂ、３Ｃ、３Ｄを参照すると、選択可能な排出速度を可能にする可動部材１９Ａ、１９Ｂの異なる構成の概略図が示されている。
【００２２】
図３Ａは、２つの回転可能ローラを示す。２つの回転可能排出ローラは本構成に組み込まれる可動部材１９Ａ、１９Ｂであって、排出ニップ搬送部２２内の駆動されるニップ部を形成する。
【００２３】
代替構成では、ベルトによって排出ニップ部を形成する。図３Ｂを参照すると、２つの可動部材１９Ａ’、１９Ｂ’である回転可能排出ローラと可動ベルトとが排出ニップ搬送部２２内の駆動されるニップ部を形成する。
【００２４】
別の構成である図３Ｃを参照すると、２つの可動部材１９Ａ’’、１９Ｂ’’である１つの回転可能排出ローラと１つの可動ベルトとが、排出ニップ搬送部２２内の駆動されるニップ部を形成する。
【００２５】
図３Ｄを参照すると、２つの可動部材１９Ａ’’’、１９Ｂ’’’である２つの可動ベルトが構成に組み込まれる。これらの可動ベルトが排出ニップ搬送部２２内の駆動されるニップ部を形成する。
【００２６】
ここで図４を参照すると、２つの排出書類の相対的な速度の大きさと向きが示されている。例えば、これらの２つの書類は、書類の長さに基づき分類できる。片方の書類の長さ（例えば８．５インチ（約２２センチ））が他方の書類の長さ（７．５インチ（約１９センチ））よりも長いものとする。一方の書類の速度Ｖ２（例えば６インチ（１５センチ）／秒）は、片方の書類の速度Ｖ３（例えば５０インチ（１２７センチ））よりも大幅に遅い。速度Ｖ２は、書類を排出ニップ搬送部２２に隣接する第１排出トレイ１６に落下させる大きさである。速度Ｖ３は、排出書類６０を第１排出トレイ１６を越えて送出し、書類６０の先端４６をバックストッパ６２で止めさせ、そして第２排出トレイ１７内に落下させることが可能な大きさである。
【００２７】
図５に示すタイミング図は、連続してスキャンされた２つの書類に対する、排出ニップ搬送部２２、モータ制御部５４及び制御論理プロセッサ２４によって制御された相対的な速度の変化を示す。タイミングＴ１において、センサ３０は第１書類の後端４８を検出する。速度Ｖ１はスキャン部３２によって書類画像を取り込むために使用される搬送速度である。速度Ｖ１が分かっており、センサ３０から排出ニップ搬送部２２までの距離も分かっているので、制御論理プロセッサ２４はすべての書類について先端４６と後端４８の排出ニップ搬送部２２への予測到達時間を算出可能である。排出速度Ｖ１は、第１書類が排出ニップ搬送部２２から排出されるタイミングＴ２においてより遅い速度Ｖ２に減速する。排出書類は、より遅い速度Ｖ２で第１排出トレイ１６へ落下する。
【００２８】
次に、第１書類の後端４８が排出ニップ搬送部２２から離された後、第２書類の先端が排出ニップ搬送部２２へ入る前までに、排出ニップ搬送部２２の速度は加速し元の速度Ｖ１となる。書類が書類搬送機構３８を通って搬送される際、第１書類の後端４８と第２書類の先端４６との間の間隔は、例えば３インチ（約８センチ）である。書類間に間隔があることで、第２書類が排出ニップ搬送部２２へ入る前に、排出ニップ搬送部２２の速度を遅い速度Ｖ２から元の速度Ｖ１へ変更する時間を確保できる。タイミングＴ３において、センサ３０は第２書類の後端４８を検出する。
【００２９】
次に、排出速度Ｖ１は、第２書類に対してタイミングＴ４においてより早い排出速度Ｖ３へ加速する。第２書類は、より早い排出速度Ｖ３で排出ニップ搬送部２２から送出され、第１排出トレイ１６を越え、第２排出トレイ１７へ入り、このように書類は２つの出力書類束１２へ分類される。排出ニップ搬送部２２の速度はその後最初のＶ１へ戻り、次の書類の受け入れ準備中の書類搬送機構３８の速度と合致する。
【００３０】
第１排出トレイ１６及び第２排出トレイ１７内の出力書類束１２の紙揃えを向上するため、傾斜部４０が設けられ、書類の先端４６又は後端４８が背壁３４又は先端背壁３６に当たって揃えられる。通常、ほとんどの種類の書類に効果的であって、落下する書類を背壁３４又は先端背壁３６に当たる最終積載位置まで第１排出トレイ１６又は第２排出トレイ１７内の書類束１２の上でスライドできるように、傾斜部４０は水平に対し１８度〜４５度である。
【００３１】
当業者であれば理解できることであるが、スキャンされた書類の排出速度を利用して書類を分類する本発明には多くの構成が可能である。図６Ａ、６Ｂ、６Ｃ、６Ｄにいくつかの異なる構成を示す。図６Ａを参照すると、複数の排出トレイの概略図が示されている。この構成では、３つの異なる排出速度が設けられ、書類を３つの異なる排出トレイ内の３つの別の書類束１２に分類する。
【００３２】
図６Ｂは、第１排出トレイ１６内の書類束１２に対し後端揃えをもたらし、第２排出トレイ１７内の書類束１２に対し先端揃えをもたらす構成を示すが、これは書類の種類によって積載したり取り出す際に有利となり得る。
【００３３】
図６Ｃを参照すると、１つのトレイが示され、傾斜部４０の末端に折れ点４２がある。この排紙トレイには水平部４４もある。２つの異なる排出速度を利用して３つの書類が１つの排出トレイに分類される。中間の書類は、後端４８が背壁３４に当たって位置決めされる上下の書類とは異なる積載位置で書類束１２内で分類される。このように分類された書類は２つの束に完全に分けられてはいない。図示したように、分類された書類は、区別できるように後端４８の位置がかなりずれて差し込まれるので、分類された書類は１つの書類束１２内のままである。
【００３４】
この図６Ｃに示された差し込み分類技術は、分類された一方の書類の重心６６が排出トレイの水平部４４上に配置するように排出速度を設定することによって実現可能である。分類された書類のもう一方のグループは、後端４８が背壁３４に当たって積載されるように書類を落下させる異なる排出速度で配置される。
【００３５】
最後に、図６Ｄは単純な分類構成を示し、２つの完全に分かれた書類束１２を収容可能な１つの排出トレイを使用する。この単純な構成は、排出ニップ部の速度を調整することによって書類を３つ以上の書類束１２に分類することも可能である。ただし、先端揃え及び後端揃えは実施されない。この構成は、書類をスキャンして分類するいくつかの応用例に適用できる。
【００３６】
各書類のスキャンされた１つ又は複数の画像に基づく分類基準は多くある。スキャナ装置１０は、書類搬送経路内に２つのスキャン部３２を設けることが可能であり、一方のスキャン部３２は各書類の先頭側の画像を取り込み、他方のスキャン部３２は各書類の後方側の画像を取り込む。例えば、各書類の１つ又は複数の画像は、各書類の長さ、幅及び向き（横向き又は縦向き）を判断するために使用でき、これらの情報は分類基準として利用可能である。書類上に印刷された内容は、各書類画像に対し制御論理プロセッサ２４によって評価でき、分類基準としても使用可能である。書類の色、形、画像品質の程度等、スキャンされた書類画像の他の属性も分類基準に利用できる。当業者であれば理解できることであるが、スキャンされた書類を分類するために使用できる書類画像属性は数多くある。
【００３７】
分類に書類のスキャンされた画像を使わない分類基準もいくつかある。スキャナ装置１０のユーザは、書類枚数に基づき書類を分類するように入力装置５０を介してスキャナ装置１０に指令できる。書類枚数は、書類が搬送される際にセンサ３０によって検出された書類の枚数に基づき判断できる。例えば、第１排出トレイ１６内に搬送された１００枚の書類束１２を作り、次に第２排出トレイ１７内に続く１００枚の書類を分類することは、書類の枚数に基づく分類基準の１つである。
【００３８】
スキャナ装置１０には、書類が１つ又は複数の層で構成されているか判断できる超音波センサ（図示せず）等の他のセンサを組み入れてもよい。超音波センサ（図示せず）は、一般的にそのような目的で書類スキャナ装置で使用される。例えば、書類搬送経路内に配置される超音波センサによって書類上のラベル、シール、又は添付されたメモが検出された場合、それらの書類を層が検出されない他の書類から分類できる。
【００３９】
同様に、スキャナ装置１０にマイク（図示せず）を組み入れ、書類搬送機構３８を通って送られる各書類の音（周波数と振幅のパターン）をマイクで捉え、制御論理プロセッサ２４で分析し、そして分類基準として利用できる。異なる厚さや状態（しわが寄った書類や折られた書類等）の書類は、搬送される際に異なる音パターンを生じる。このため、制御論理プロセッサ２４と併用されたスキャナ装置１０にマイクを組み入れることによって、厚みや状態に基づいて書類を分類できる。
【符号の説明】
【００４０】
１０  スキャナ装置、１２  書類束、１４  入力トレイ、１５  書類送り機構、１６  第１排出トレイ、１７  第２排出トレイ、１８  ローラ、１９Ａ  可動部材、１９Ｂ  可動部材、２０  搬送部、２２  排出ニップ搬送部、２４  制御論理プロセッサ、２６  第１モータ、２８  第２モータ、２９  ベルトプーリ機構、３０  センサ、３２  スキャン部、３４  背壁、３６  先端背壁、３８  書類搬送機構、４０  傾斜部、４２  折れ点、４４  水平部、４６  先端、４８  後端、５０  入力装置、５４  モータ制御部、５６  メモリ、６０  書類、６２  バックストッパ、６４  ひだ形成ローラ、６６  重心。
【図１】
2014518826.tif 000003
【図２Ａ】
2014518826.tif 000004
【図２Ｂ】
2014518826.tif 000005
【図２Ｃ】
2014518826.tif 000006
【図３Ａ】
2014518826.tif 000007
【図３Ｂ】
2014518826.tif 000008
【図３Ｃ】
2014518826.tif 000009
【図３Ｄ】
2014518826.tif 000010
【図４】
2014518826.tif 000011
【図５】
2014518826.tif 000012
【図６Ａ】
2014518826.tif 000013
【図６Ｂ】
2014518826.tif 000014
【図６Ｃ】
2014518826.tif 000015
【図６Ｄ】
2014518826.tif 000016
【国際調査報告】
2014518826.tif 000017
2014518826.tif 000018